(57)【要約】制御装置（Ｄ）は、第１のファイル・システム（Ｓ１）を有するコンテンツ受信機（ＣＲ）を備えるように設計される。この装置（Ｄ）は、まず、第１のファイル・システム（Ｓ１）と互換性がない第２のファイル・システム（Ｓ２）を有する記憶装置（ＳＤ）がコンテンツ受信機（ＣＲ）に結合されると、引き続いて、一方で、コンテンツ受信機（ＣＲ）に対して、第１のファイル・システム（Ｓ１）と互換性を有する仮想タイプの第３のシステム（Ｓ３）からなる制御データのセット（ＤＳ）を記憶装置（ＳＤ）に送信するように指示することにより、記憶装置（ＳＤ）が第２のファイル・システム（Ｓ２）の少なくとも１つのファイルにこの制御データのセット（ＤＳ）を記憶するようにし、他方で、第１のファイル・システム（Ｓ１）の制御下で、コンテンツ受信機（ＣＲ）から記憶装置（ＳＤ）へ、コンテンツ受信機（ＣＲ）によって受信されたデータ・コンテンツを送信することを制御して、第３のファイル・システム（Ｓ３）の制御下で、制御データが記憶装置（ＳＤ）に記憶されるように構成される。【選択図】図１
2015506015.tif 000002
【特許請求の範囲】
【請求項１】
第１のファイル・システム（Ｓ１）を有するコンテンツ受信機（ＣＲ）によって受信されるコンテンツ・データを記憶する方法であって、
−前記第１のファイル・システム（Ｓ１）との互換性がない第２のファイル・システム（Ｓ２）を有する記憶装置（ＳＤ）を前記コンテンツ受信機（ＣＲ）に結合するステップと、
−前記コンテンツ受信機（ＣＲ）から前記記憶装置（ＳＤ）に、前記第１のファイル・システム（Ｓ１）との互換性を有する仮想のタイプの第３のファイル・システム（Ｓ３）を構成する制御データのセット（ＤＳ）を送信するステップ（ｉ）と、
−前記第２のファイル・システム（Ｓ２）の少なくとも１つのファイルに前記制御データのセット（ＤＳ）を記憶するステップと、
−前記第１のファイル・システム（Ｓ１）の制御下で、前記コンテンツ受信機（ＣＲ）から前記記憶装置（ＳＤ）に受信されたコンテンツ・データを送信するステップ（ｉｉ）と、
−前記第３のファイル・システム（Ｓ３）の制御下で、前記記憶装置（ＳＤ）に前記送信されたコンテンツ・データを記憶するステップと、
を含む、前記方法。
【請求項２】
前記制御データのセットを送信するステップ（ｉ）は、前記コンテンツ受信機（ＣＲ）から前記記憶装置（ＳＤ）に確保されなければならない記憶容量を表す補助データを送信して、送信されなければならない前記コンテンツ・データを記憶するステップをさらに含む、請求項１に記載の方法。
【請求項３】
前記制御データのセットを送信するステップ（ｉ）は、前記記憶装置（ＳＤ）から前記第２のファイル・システム（Ｓ２）のファイルの最大許容サイズおよび初期サイズを前記コンテンツ受信機（ＣＲ）によって判定し、前記第２のファイル・システム（Ｓ２）の前記ファイルの各々によって使用されていない未使用のサイズを推定する先行するステップと、その後の、前記制御データのセット（ＤＳ）のサイズが推定された未使用のサイズのうちの最大の未使用のサイズよりも大きい場合には、前記制御データのセット（ＤＳ）を、前記コンテンツ受信機（ＣＲ）によって、前記第２のファイル・システム（Ｓ２）からの少なくとも２つの選択されたファイルに各々が記憶されるための、少なくとも２つのサブセットに分割するステップと、を含む、請求項１または２に記載の方法。
【請求項４】
少なくとも１つのＵＳＢキーおよび携帯用ハード・ドライブからなる群より選択された記憶装置（ＳＤ）に適している、請求項１〜３のいずれか１項に記載の方法。
【請求項５】
少なくとも１つのセットトップ・ボックスタイプ、復号器、および住居用ゲートウェイからなる群より選択されたコンテンツ受信機（ＣＲ）に適している、請求項１〜４のいずれか１項に記載の方法。
【請求項６】
第１のファイル・システム（Ｓ１）を有するコンテンツ受信機（ＣＲ）のための制御装置（Ｄ）であって、前記コンテンツ受信機（ＣＲ）は、前記第１のファイル・システム（Ｓ１）とは互換性がない第２のファイル・システム（Ｓ２）を有する記憶装置（ＳＤ）を前記コンテンツ受信機（ＣＲ）に結合する手段を備え、当該制御装置は、
−前記コンテンツ受信機（ＣＲ）に対して、仮想タイプの前記第１のファイル・システム（Ｓ１）と互換性を有する第３のファイル・システム（Ｓ３）を構成する制御データのセット（ＤＳ）を前記記憶装置（ＳＤ）に送信するように指示し、前記記憶装置（ＳＤ）に対して、前記第２のファイル・システム（Ｓ２）の少なくとも１つのファイルに前記制御データのセット（ＤＳ）を記憶するように指示する手段と、
−前記第１のファイル・システム（Ｓ１）の制御下で、前記コンテンツ受信機（ＣＲ）によって受信されるコンテンツ・データを、前記コンテンツ受信機（ＣＲ）から前記記憶装置（ＳＤ）へ送信することを制御し、前記第３のファイル・システム（Ｓ３）の制御下で、前記記憶装置（ＳＤ）に対して、コンテンツ・データを記憶するように指示する手段と、を備える、前記制御装置（Ｄ）。
【請求項７】
前記コンテンツ受信機（ＣＲ）に対して、前記制御データのセット（ＤＳ）に加え、送信されなければならない前記制御データを記憶するために前記記憶装置（ＳＤ）に確保されるべき記憶容量を表す補助データを前記第２のファイル・システム（Ｓ２）に送信するように指示する手段を備える、請求項６に記載の制御装置。
【請求項８】
前記記憶装置（ＳＤ）から前記第２のファイル・システム（Ｓ２）の最大許容サイズおよび初期サイズを判定する手段（ｉ）と、 
前記第２のファイル・システム（Ｓ２）の前記ファイルの各々によって使用されていない未使用のサイズを推定する手段と、
前記データのセット（ＤＳ）のサイズが推定された未使用のサイズのうち、最大の未使用のサイズよりも大きい場合、前記データのセット（ＤＳ）を前記第２のファイル・システム（Ｓ２）の少なくとも２つの選択されたファイルに各々が記憶されるための、少なくとも２つのサブセットに分割する手段（ｉｉ）と、を備える、請求項６または７に記載の制御装置。
【請求項９】
第１のファイル・システム（Ｓ１）を備え、請求項６〜８のいずれか１項に記載の制御装置（Ｄ）をさらに備える、コンテンツ受信機（ＣＲ）。
【請求項１０】
少なくとも１つのタイプのセットトップ・ボックス、復号器、および住居用ゲートウェイからなる群より選択される、請求項９に記載のコンテンツ受信機（ＣＲ）。
【発明の詳細な説明】
【技術分野】
【０００１】
本発明は、コンテンツ受信機、より具体的には、このような受信機が受信するコンテンツ・データの記憶に関する。
【０００２】
「コンテンツ受信機」とは、コンテンツ、おそらく、放送を受信するために、少なくとも１つの通信ネットワークと接続する機能を有する通信機器のアイテムであると理解される。したがって、コンテンツ受信機は、例えば、ある種（タイプ）のセットトップ・ボックス（ＳＴＢ）、復号器、または、住居用ゲートウェイに関わることがある。
【０００３】
さらに、「コンテンツ」は、おそらくはオンデマンドでの、テレビジョン、ビデオまたはオーディオ（電子音楽または、ミュージカル）、またはゲームやマルチメディアのプログラムを規定するデータのセット、またはコンピュータ・ファイル（または「データ」）さえも指す。
【背景技術】
【０００４】
当業者であれば、特定のコンテンツ受信機は、このコンテンツ受信機に接続された通信ネットワークから受信されたコンテンツ・データを記憶可能なメモリを有することを理解する。この記憶機能は、ある他の機能と同様に、フィルム・システム、例えば、ＦＡＴ（Ｆｉｌｅ  Ａｌｌｏｃａｔｉｏｎ  Ｔａｂｌｅ）タイプまたはＮＴＦＳ（Ｎｅｗ  Ｔｅｃｈｎｏｌｏｇｙ  Ｆｉｌｅ  Ｓｙｓｔｅｍ）タイプのファイル・システムによってコンテンツ受信機上で制御される。
【０００５】
コンテンツ受信機のメモリが一杯になっているときに、ユーザが、従前に記憶されたコンテンツを消去することなく新たなコンテンツ記憶することを望む場合、あるいは、コンテンツ受信機が記憶メモリを内蔵しておらず、ユーザが受信されたコンテンツを記憶することを望む場合、このコンテンツ受信機は、携帯用記憶装置、例えばＵＳＢキーやハードディスクに結合されていなければならない。この携帯用記憶装置もまた、特に、記憶動作を制御するタスクを有するファイル・システムを有する。しかしながら、コンテンツ受信機がこのコンテンツ受信機に結合されている携帯用記憶装置上で、コンテンツを破損することなく、コンテンツ・データの記憶を制御するためには、各々のファイル・システムが互いに互換性を有することが不可欠である。これは、コンテンツ受信機のミドルウェアの動作モードの結果として生ずるものである。極めて通常に起こりうることであるが、ファイル・システム間で互換性がない場合、コンテンツ受信機は、記憶されるべきコンテンツ・データを記憶装置に送信する前に、この記憶装置をフォーマットしなければならない。結果として、それまでに記憶されたデータが完全に失われることになる。
【発明の概要】
【０００６】
本発明は、上述した不都合を克服する一方で、記憶装置のファイル・システムとこの記憶装置に結合されるコンテンツ受信機のファイル・システムとの間に互換性がない場合であっても、記憶装置に記憶されるデータが失われることのないようにすることを目的とする。
【０００７】
この目的のため、本発明は、特に、第１のファイル・システムを有するコンテンツ受信機によって受信されるコンテンツ・データの記憶に特化した方法を提案する。この方法は、コンテンツ受信機が、まず、第１のファイル・システムと互換性がない第２のファイル・システムを有する記憶装置がコンテンツ受信機に結合されると、引き続いて、
コンテンツ受信機から記憶装置に、第１のファイル・システムとの互換性を有する仮想のタイプのファイルの第３のシステムを構成する制御データのセットを送信して第２のファイル・システムの少なくとも１つのファイルにこの制御データのセットを記憶することからなるステップ（ｉ）と、
第１のファイル・システムの制御下で、コンテンツ受信機から記憶装置に受信されたコンテンツ・データを送信し、第３のファイル・システムの制御下で、記憶装置上で送信されたコンテンツ・データを記憶することからなるステップ（ｉｉ）と、を含む。
【０００８】
本発明に係る第１の方法は、特に、以下に挙げる他の特徴事項を別個に、または組み合わせたものを含むことができる。
ステップ（ｉ）において、コンテンツ受信機は、データを記憶するために記憶装置に確保されなければならない記憶容量を表す補助データを第２のファイル・システムに送信して、送信されなければならないコンテンツ・データを記憶するようにすることもできる。
ステップ（ｉ）において、制御データを送信する前に、コンテンツ受信機は、記憶装置から第２のファイル・システムのファイルの最大許容サイズおよび初期サイズを判定し、（制御データの）セットのサイズがこれらの推定されたサイズのうちの最大の未使用のサイズよりも大きい場合には、コンテンツ受信機は、この（制御データの）セットを第２のファイル・システムから選択された少なくとも２つのファイルに各々が記憶されるための、少なくとも２つのサブセットに分割することができる。
【０００９】
さらに、本発明は、第１のファイル・システムを有するコンテンツ受信機を備えるように構成された制御装置を提案する。この制御装置は、まず、第１のファイル・システムと互換性がない第２のファイル・システムを有する記憶装置がそのコンテンツ受信機に結合されると、引き続いて、
そのコンテンツ受信機に対し、仮想ファイルの第３のシステムを構成し、第１のファイル・システムと互換性を有する制御データのセットを記憶装置に送信するように指示することにより、記憶装置が第２のファイル・システムの少なくとも１つのファイルにこの制御データのセットを記憶するようにし、
第１のファイル・システムの制御下で、コンテンツ受信機によって受信されるコンテンツ・データの、コンテンツ受信機から記憶装置への送信を制御することにより、第３のファイル・システムの制御下で、コンテンツ・データが記憶装置に記憶されるように構成される。
【００１０】
本発明に係る第１の制御装置は、特に、以下に挙げる他の特徴事項を別個に、または組み合わせて含むことができる。
第１の制御装置は、そのコンテンツ受信機に対し、（制御データの）セットに加え、送信されなければならない制御データを記憶するために記憶装置に確保されるべき記憶容量を表す補助データを第２のファイル・システムに送信することを指示するように構成することができる。
第１の制御装置は、この制御データの送信を指示する前に、一方で、記憶装置から第２のファイル・システムの複数のファイルの最大許容サイズおよび初期サイズを判定することにより、第２のファイル・システムにおいてこれらのファイルの各々によって使用されていない未使用のサイズを推定し、他方で、（制御データの）セットのサイズがこれらの推定された未使用のサイズのうち、最大の未使用のサイズよりも大きい場合、この（制御データの）セットを第２のファイル・システムの少なくとも２つの選択されたファイルに各々が記憶されるための、少なくとも２つのサブセットに分割するように構成することができる。
【００１１】
本発明は、さらに、上述したものと同じタイプの第１のファイル・システムおよび制御装置を含むコンテンツ受信機を提案する。
【００１２】
本発明は、限定するものではないが、セットトップ・ボックス（ＳＴＢ）、復号器、または住居用ゲートウェイに特に適している。さらに、本発明は、限定するものではないが、ＵＳＢキーまたは携帯用ハードディスクを構成する記憶装置に特に良好に適している。
【００１３】
本発明の他の特徴事項および利点は、以下の詳細な説明、さらに添付図面を考慮することによって明らかになるであろう。
【図面の簡単な説明】
【００１４】
【図１】コンテンツ受信機を図式的、機能的に例示している。コンテンツ受信機は、第１に、通信ネットワークに接続され、第２に、本発明に係る制御装置を含み、第３に、記憶装置に結合されている。
【発明を実施するための形態】
【００１５】
添付図面は、本発明を完全にするだけでなく、必要であれば、その定義に寄与するために使用することができる。
【００１６】
本発明の目的は、コンテンツ受信機ＣＲのファイル・システムＳ１と携帯用記憶装置ＳＤのファイル・システムＳ２との間に互換性がない場合であっても、この携帯用記憶装置ＳＤを使用して、コンテンツ受信機ＣＲからのコンテンツ・データを記憶可能にすることにある。
【００１７】
以下において、非制限的な例として、コンテンツ受信機ＣＲがセットトップ・ボックス（またはＳＴＢ）である場合を考える。しかしながら、本発明は、このタイプのコンテンツ受信機に限定されるものではない。本発明は、実際、コンテンツを受信するために少なくとも１つの通信ネットワークに接続可能な、さらに、ファイル・システムと、装置や周辺機器との結合を可能とする少なくとも１つの接続インタフェースを有する全てのタイプのコンテンツ受信機に関する。結果として、本発明は、例えば、復号器、住居用ゲートウェイ、または、家庭用ゲートウェイにも関わる場合がある。
【００１８】
さらに、以下において、非制限的な例として、セットトップ・ボックスＣＲが受信されたコンテンツを記憶可能に設計されたメモリを有していない場合を考える。しかしながら、本発明は、そのようなメモリを有するコンテンツ受信機にも関する。
【００１９】
さらに、以下において、非制限的な例として、携帯用記憶装置ＳＤが（例えば、雄タイプの）接続インタフェースを有するＵＳＢキーである場合を考える。しかしながら、本発明は、このタイプの携帯用記憶装置に限定されるものではない。本発明は、特に、自己のデータ記憶動作を制御するファイル・システムを有する全てのタイプの携帯用記憶装置に関する。結果として、本発明は、おそらくは、ｅＳＡＴＡタイプのハードディスク、ＮＤＳタイプのネットワーク・ディスクに関わる場合、または、Ｓａｍｂａタイプのサーバにさえ関わる場合もある。
【００２０】
図１は、通信ネットワークＮと記憶装置ＳＤ（この場合はＵＳＢキー）とに接続されたコンテンツ受信機ＣＲ（この場合はコンテンツの記憶のためのメモリを有していないセットトップ・ボックス）を図式的に示している。
【００２１】
以下において、非制限的な例として、通信ネットワークＮが衛星ネットワークである場合を考える。しかしながら、本発明は、このタイプの通信ネットワークに限定されるものではない。実際には、通信ネットワークＮは、有線であっても、無線であってもよい。したがって、通信ネットワークＮは、ｘＤＳＬタイプの有線ネットワーク（例えば、ＡＤＳＬ）、移動用、携帯電話、または無線ＬＡＮ（おそらくは、８０２．１１、ＷｉＦｉまたはＷｉＭＡＸのタイプの無線ローカル・エリア・ネットワーク）、または、他のあらゆるディジタル放送（有線または地上波）のタイプ、変調のタイプ（例えば、ＤＶＢ、ＤＳＳ、ＡＴＳＣ）の通信ネットワークとなることがある。
【００２２】
このコンテンツ受信機ＣＲは、通常、特に、通信ネットワークＮから受信されたコンテンツのデータ記憶動作を制御することを担う、第１のファイル・システムＳ１と、特に、コンテンツを受信する目的で、通信ネットワークＮ、おそらくは放送に接続することを可能にする通信モジュールＣＭと、を含む。
【００２３】
例えば、第１のファイル・システムＳ１は、ＦＡＴ（Ｆｉｌｅ  Ａｌｌｏｃａｔｉｏｎ  Ｔａｂｌｅ）やＮＴＦＳ（Ｎｅｗ  Ｔｅｃｈｎｏｌｏｇｙ  Ｆｉｌｅ  Ｓｙｓｔｅｍ）のシステムのタイプとは異なる独自のシステムである。
【００２４】
コンテンツ受信機ＣＲは、さらに、コンテンツ受信機を、装置や周辺機器、さらに、特に、記憶装置ＳＤ、例えば、ＵＳＢキーと結合させるように意図された少なくとも１つの第１の接続インタフェースＣ１を含む。例えば、第１の接続インタフェースＣ１は、雌タイプのＵＳＢコネクタである。
【００２５】
記憶装置ＳＤ（ここでは、ＵＳＢキー）は、通常、受信されたコンテンツ・データの記憶を担うメモリＭＳと、コンテンツ受信機ＣＲの第１のファイル・システムＳ１とは互換性がなく、特に、受信されたコンテンツ・データの記憶の制御を担う、第２のファイル・システムＳ２と、電子機器、特に、デスクトップ・コンピュータ、ラップトップ、または、コンテンツ受信機ＣＲとの結合を可能にするように意図された、少なくとも第２の接続インタフェースＣ２と、を含む。例えば、第２の接続インタフェースＣ２は、雄タイプのＵＳＢコネクタである。
【００２６】
例えば、第２のファイル・システムＳ２は、ＦＡＴまたはＮＴＦＳタイプである。
【００２７】
本発明は、第１のファイル・システムＳ１と第２のファイル・システムＳ２との間に互換性がない場合であっても、ＵＳＢキーＳＤの第２のファイル・システムＳ２の制御の下で、ＵＳＢキーＳＤに予め記憶された読み取り不能なデータの消去やレンダリングを行うことなく、通信ネットワークＮからのコンテンツ・データをＵＳＢキーＳＤに記憶可能にするように設計された記憶方法を実施することを提案する。
【００２８】
この記憶方法は、２つのステップ（ｉ）および（ｉｉ）を含む。これらは、まず、ＵＳＢキーＳＤのコンテンツ受信機ＣＲへの結合に連続して、引き続いて実施され、さらに、コンテンツ受信機ＣＲのユーザによる、外部記憶サービスの起動、並びに、例えば、コンテンツ受信機ＣＲのマンマシン・インタフェースを通じた、このユーザによる、ＵＳＢキーＳＤに記憶したいと自己が望む少なくとも１つの受信したコンテンツの選択に引き続いて実施される。
【００２９】
記憶方法の第１のステップ（ｉ）は、２つのサブパートを含む。
【００３０】
第１のサブパートは、コンテンツ受信機ＣＲから記憶装置ＳＤ（この場合、ＵＳＢキー）に、第３のファイル・システムＳ３を構成する、仮想のタイプの、第１のファイル・システムＳ１との互換性を有する制御データのセットＤＳを送信することからなる。第２のサブパートは、送信された制御データのセットＤＳをＵＳＢキーの第２のファイル・システムＳ２における少なくとも１つのファイルに記憶することからなる。
【００３１】
なお、このステップ（ｉ）の第１のサブパートは、コンテンツ受信機ＣＲに結合された、本発明に係る制御装置Ｄによって実施することができる。
【００３２】
ここで、「結合される」とは、（図示している）コンテンツ受信機ＣＲの構成部分である場合と、コンテンツ受信機ＣＲに直接結合されている場合との双方を指すことが理解できる。したがって、処理装置Ｄは、ソフトウェア（またはコンピュータ）・モジュールの形態で実施することも、電子回路およびソフトウェア・モジュールを組み合わせて実施することもできる。なお、装置Ｄがソフトウェア・モジュールのみからなる場合、この装置Ｄは、ドライバにアプリケーション・プログラム・インタフェース（ＡＰＩ）を組み合わせたもの、さらに、おそらくは、ユーザによるその設定専用に使用されるグラフィック・インタフェースを含む、当業者がアダプテーション・レイヤと呼ぶものを構成する。
【００３３】
この制御装置Ｄは、特に、まず、ＵＳＢキーＳＤがコンテンツ受信機ＣＲに結合されると、引き続いて、上述したタイプの制御データのセットＤＳを生成し、そのコンテンツ受信機ＣＲに対してこの制御データのセットＤＳをＵＳＢキーに送信することを指示することにより、ＵＳＢキーＳＤがその第２のファイル・システムＳ２の少なくとも１つのファイルにその制御データのセットＤＳを記憶できるように構成される。
【００３４】
なお、第１のステップ（ｉ）において、コンテンツ受信機ＣＲは、例えば、制御装置Ｄの命令によって、コンテンツ受信機ＣＲによって受信された、送信されるコンテンツ・データを記憶するために、ＵＳＢキーＳＤにおいて確保しなければならない記憶容量を表す補助データを第２のファイル・システムＳ２に送信することができる。ＵＳＢキーＳＤの残りの記憶容量が送信された補助データによって表される必要な記憶容量よりも小さい場合には、ＵＳＢキーＳＤは、専用のメッセージによってその旨を制御装置Ｄに伝達し、制御装置Ｄは、自己の動作を中断し、好ましくは、記憶ができない旨のメッセージをコンテンツ受信機ＣＲのユーザに送信する。
【００３５】
なお、第１のステップ（ｉ）において、コンテンツ受信機ＣＲおよび、例えば、その制御装置Ｄは、制御データのセットＤＳを送信する前に、ＵＳＢキーＳＤから、第２のファイル・システムＳ２におけるファイルの最大許容サイズおよび初期サイズを判定して第２のファイル・システムＳ２において各ファイルによって使用されていない未使用のサイズを推定することからその処理を開始することができる。
【００３６】
大抵のファイル・システムでは、その各々のファイルのサイズが所定の最大サイズを超えてはならないことが分かるであろう。例えば、ＦＡＴ３２タイプのシステムの場合は、各ファイルの最大のサイズは４ＧＢである。
【００３７】
未使用のサイズが推定されると、制御装置Ｄは、ＵＳＢキーＳＤに送信することを望む制御データのセットＤＳのサイズが、このとき推定された未使用のサイズのうちの最大の未使用のサイズよりも大きいかどうかを判定する。
【００３８】
ＵＳＢキーＳＤに送信することを望むデータのセットＤＳのサイズが、このとき推定された未使用のサイズのうちの最大の未使用のサイズよりも大きい場合には、コンテンツ受信機ＣＲ（より具体的には、コンテンツ受信機ＣＲの制御装置Ｄ）は、このデータのセットＤＳを、第２のファイル・システムＳ２において選択された少なくとも２つのファイルに各々記憶されるように意図された少なくとも２つのサブセットに分割する。この分割は、第２のファイル・システムＳ２のファイルのうちの少なくとも１つのサイズが、データのセットＤＳのサブセットが追加された後に、最終的に、最大許容サイズを超えないようにすることを意図している点を理解できよう。なお、これらのサブセットは、必ずしも同一のサイズを有するものではない。
【００３９】
ＵＳＢキーＳＤに送信することを望むデータのセットＤＳのサイズが、このとき推定された未使用のサイズのうちの最大の未使用のサイズよりも大きくない場合には、上記の分割が行われず、データのセットＤＳが、このデータのセットＤＳの記憶容量を有する第２のファイル・システムＳ２に完全に記憶され、新たなサイズが最大サイズを超えることはない。
【００４０】
記憶方法の第２のステップ（ｉｉ）は、２つのサブパートを含む。
【００４１】
第１のサブパートは、コンテンツ受信機ＣＲによって受信された、（そして、通信ネットワークＮから得られた）コンテンツ・データを、第１のファイル・システムＳ１の制御下で、このコンテンツ受信機ＣＲからＵＳＢキーＳＤに送信することからなる。第２のサブパートは、第３のファイル・システムＳ３の制御下で、コンテンツ受信機ＣＲによって送信されたコンテンツ・データをＵＳＢキーＳＤに記憶することからなる。
【００４２】
なお、この第２のステップ（ｉｉ）の第１のサブパートを制御装置Ｄによって実施してもよい。より具体的には、制御装置Ｄは、第２のファイル・システムＳ２にデータのセットＤＳを記憶した後、第１のファイル・システムＳ１の制御下で、コンテンツ受信機ＣＲによって受信されたコンテンツ・データのコンテンツ受信機ＣＲからＵＳＢキーへの送信を制御することによって、コンテンツ・データが第３のファイル・システムＳ３の制御下で、ＵＳＢキーＳＤに記憶されるようにする。
【００４３】
記憶装置の第２のファイル・システムにおいて第３の仮想ファイル・システムを構築することにより、コンテンツ・データが第２のファイル・システムとは互換性のない第１のファイル・システムを有するコンテンツ受信機から得られたものであっても、これにより、第２のファイル・システムを用いてこのメモリに従前に記憶されたデータを消去したり、アクセスを禁止したりすることなく、メモリに記憶できるようになる。したがって、本発明によって、コンテンツ受信機は、内部記憶メモリを有するかどうかに関わらず外部コンテンツを記録する機能を有することができるようになる。
【００４４】
なお、第３のファイル・システムの制御下で記憶装置に記憶されたコンテンツ・データは、第１のファイル・システムとは互換性がないが、第２のファイル・システムとは互換性があるファイル・システムを有する別の装置によっても、この装置がこのための適切なソフトウェア（すなわち、第３のファイル・システムとの対話が可能なソフトウェア）を有するのであれば、抽出することができる。
【００４５】
本発明は、非限定的な例とする目的のみで提供した、上述した記憶装置、制御装置、およびコンテンツ受信機の実施形態に制限されるものではなく、請求の範囲内で、当業者であれば想起可能な全ての変形例を包含するものである。
【図１】
2015506015.tif 000003
【国際調査報告】
2015506015.tif 000004
2015506015.tif 000005